(57)【要約】【課題】  少ない部品点数で構成されて低価格に製造できるとともに、調節操作も極めて簡単且つ正確に出来るようにした各種保持物の支持具を提供する。【解決手段】  各種保持物を前面に取り付ける球体５と、上記球体の凸面後部５Ｂを環状の凹面受座８Ａで首振り自在に抱持する固定板８と、上記固定板の凹面受座８Ａの外周に設けた螺環８Ｂへの螺合時に上記球体の凸面前部５Ｃに環状の締付凹面９Ａを挟圧して球体を所望方向に締付け固定する締付環体９とからなる支持具１００である。【選択図】図１
0003134140.tif 000002
【実用新案登録請求の範囲】
【請求項１】
各種保持物を前面に取り付ける球体と、上記球体の凸面後部を環状の凹面受座で首振り自在に抱持する固定板と、上記固定板の凹面受座の外周に設けた螺環への螺合時に上記球体の凸面前部に環状の締付凹面を挟圧して球体を所望方回に締付け固定する締付環体と、を具備したことを特徴とする支持具。
【請求項２】
上記球体は、中心の貫通孔に各種保持物を通して固定されることを特徴とする請求項１記載の支持具。
【請求項３】
上記各種保持物は、センサヘッドや投光器やストッパー等であることを特徴とする請求項１記載の支持具。
【考案の詳細な説明】
【技術分野】
【０００１】  本考案は、センサヘッドや投光器やストッパー等の各種保持物の保持方向を調節出来るようにした支持具の改良に係り、特に、簡単な調節構成の採用により製造コストの低減と操作性を飛躍的に向上させたものに関する。
【背景技術】
【０００２】  従来から、例えば光センサの探知方向を調節出来るようにした光センサ支持具が提供されている。即ち、投光器や受光器等の種々の光センサを被検査部位に対応して容易かつ正確に位置決めすることを可能にした光センサ用取付構造である。その詳細な構成は、投光器や受光器の先端部分を支持する保護管体を、この保護管体を介して前記先端部分を所望の角度姿勢に位置決め可能な自在継手と、この自在継手をブラケットに対して装着するための固定手段とを備える。自在継手は、保護管体が設けられた球状体と、受け部材と、ロック部材とを備え、固定手段は、この受け部材と、取付けナットとを備えるものである（例えば、特許文献１参照。）。【０００３】  更には、各種センサ（近接スイッチ、リミットスイッチ、マイクロスイッチ等）及び各種支持部材（ストッパー、監視カメラ等）の方向を首振り調節出来るように調節機構を備えた支持具も提供されている。【０００４】
【特許文献１】  特開５−１２６９７５号
【考案の開示】
【考案が解決しようとする課題】
【０００５】  上記従来の光センサ用取付構造等によると、保護管体に支持されている光センサの先端部分が、自在継手を介して所望の方向にかつ所望の角度に姿勢に位置決め可能であり、この先端部分をワークの被検査部位等に対応して傾動させるたけで、前記光センサを所望の被検査部位等に対して正確かつ簡単に位置決めすることができる。これにより、種々の異なるワークを検査する際にも、その準備作業を含めた検査作業全体を一挙に効率的に遂行することが可能であるというメリットが得られる。【０００６】  しかし、上記光センサ用取付構造等は、多くの精密部品「保護管体、目在継手となる球体と受け部材、ロック部材等」が必要になり、それだけ各部材を精密加工しなければならず、それだけ加工費の増大や組立て調整などに多くの時間を要することになる。このために、低価格な光センサが要求されるセンサ市場に適用され難いという問題がある。【０００７】  本考案は、上記光センサ用取付構造等における問題点に鑑みてなされたもので、少ない部品点数で構成されて低価格に製造できるとともに、調節操作も極めて簡単且つ正確に出来るようにした各種保持物の支持具を提供することにある。
【課題を解決するための手段】
【０００８】  上記目的を達成するべく本考案の請求項１による支持具は、各種保持物を前面に取り付ける球体と、上記球体の凸面後部を環状の凹面受座で首振り自在に抱持する固定板と、上記固定板の凹面受座の外周に設けた螺環への螺合時に上記球体の凸面前部に環状の締付凹面を挟圧して球体を所望方向に締付け固定する締付環体と、を具備したことを特徴とするものである。【０００９】  また、本考案の請求項２による支持具は、請求項１記載の支持具において、上記球体は、中心の貫通孔に各種保持物を通して固定されることを特徴とするものである。【００１０】  また、本考案の請求項３による支持具は、請求項１記載の支持具において、上記各種保持物は、センサヘッドや投光器やストッパー等であることを特徴とするものである。【００１１】  すなわち、本考案の支持具によると、まず、球体は各種保持物を前面に取り付けており、上記球体は、固定物に取り付けた固定板の凹面受座に凸面後部を首振り自在に抱持されており、締付環体を上記固定板の凹面受座の外周に設けた螺環への螺合時に球体の凸面前部に締付凹面を挟圧して球体を所望方向に締付けて固定される。そして、締付環体を緩めることで、球体を首振り自在として所望の角度姿勢方向に位置決め調節され、調整後は締付環体を締め付けて固定される。以上の調節と締付け操作により、各種保持物を所望の角度姿勢方向に位置決め可能である。【００１２】  また、球体は、中心の貫通孔に各種保持物を通して固定されているから、例えば、センサヘッドのように、先端に探知部や発光部を備え、後端にリード線を備えたセンサ部品の取り付けが容易に行える。更に、上記各種保持物は、センサヘッドの他に投光器やストッパー等の任意物が対象になるメリットを有する。
【考案の効果】
【００１３】  本考案の光センサ等の支持具によると、少ない部品点数で構成されて低価格に製造できるとともに、調節操作も極めて簡単且つ正確に出来る。これにより、例えば、低価格な光センサが要求されるセンサ市場に適用できるとともに、取り付け時も探知方向の調整が簡単・正確にできる。更に、上記各種保持物は、センサヘッドの他に投光器やストッパー等の任意物を対象にできる。
【考案を実施するための最良の形態】
【００１４】  以下、図１乃至図３を参照して本考案の第１の実施の形態を説明する。図１は光センサ等の支持具の展開斜視図、図２は断面図、図３は拡大断面図、図４は対向式のセンサヘッドの作用図である。【００１５】  本考案の光センサ等を備えた二つの支持具１００（１００′）は、センサヘッドＳＨ１（レンズ１と発光部１Ａを内装）の支持体１０と、センサヘッドＳＨ２（レンズ２と受光部２Ａを内装）の支持体２０とからなり、これらが対向配置される。上記支持具１００（１００′）の概要構成は、二つの固定物Ｋ１，Ｋ２に固定板８をボルトＢ１により取り付け、この固定板８に球体５を嵌入、雌螺子機能と締付け機能を持つ締付環体９により球体５を固定板８に締め付け固定するものである。これにより、図２に示すように、探知方向α１，α２，α３を探知範囲Ｆ内において、首振り自在に調節と固着できる構成となっている。尚、センサヘッドＳＨ１が反射式ならば、対向するセンサヘッドＳＨ２は不要になる。【００１６】  以下、上記支持具１００の詳細構成を説明する。上記二つのセンサヘッドＳＨ１とセンサヘッドＳＨ２とは、外見が同一であるから、各種保持物の一つとなるセンサヘッドＳＨ１を代表して説明する。上記支持具１００は、センサヘッドＳＨ１を球体５の前面に取り付けるべく、上記球体５の中心に明けた貫通孔５ＡにセンサヘッドＳＨ１の支持体１０を通し、この先端の螺子Ｎ１にナットＮ２を締付けて固定されている。尚、センサヘッドＳＨ１の後端の螺子Ｎ１にナットＮ３を締付け、前後両側から挟んで固定されている。上記球体５の凸面後部５Ｂは、固定板８における環状の凹面受座８Ａに嵌め込んで首振り自在に抱持される。上記固定板８の凹面受座８Ａの外周に設けた突出状の螺環８Ｂに、環状の締付凹面９Ａを設けた締付環体９が螺合される。この締付環体９を上記固定板８の螺環８Ｂにねじ込み時に、上記球体の凸面前部５Ｃに上記締付凹面９Ａが挟圧される。しかして、締付環体９を強く締め付けると、球体５を固定扱８の凹面受座８Ａに対して所望方向に向けた状態で、締付け固定させられるものである。【００１７】  以上の構成からなる光センサ等の支持具１００の作用を説明する。図２〜図４に示すように、球体５はセンサヘッドＳＨ１を前面に取り付けられている。上記球体５は、固定物Ｋ１，Ｋ２に取り付けた固定板８の凹面受座８Ａに凸面後部５Ｂを首振り自在に抱持されており、締付環体９を上記固定板８の凹面受座８Ａの外周に設けた螺環８Ｂへの螺合時に球体の凸面前部５Ｃに締付凹面９Ａを挟圧して球体５を所望方向に締付けて固定される。即ち、締付環体９を緩めた状態で、球体５を首振り自在としてセンサヘッドＳＨ１を所望の探知方向Ｆに位置決め調節される。この調整後に、締付環体９を螺環８Ｂに手（または工具）による強い締め付け力で固定される。以上の方向調節と締付け操作により、各種保持物の一つとなるセンサヘッドＳＨ１を所望の探知方回α１，α２，α３の（探知範囲Ｆ）において、簡単・確実に位置決め可能である。以上のように、簡単容易にセンサヘッドＳＨ１の方回が調節される。図４は、二つの固定物Ｋ１，Ｋ２に、二つの透過式（光電センサを内蔵）のセンサヘッドＳＨ１とセンサヘッドＳＨ２とを対向���置した構成を示す。この場合においても、探知方向α１，α２，α３を探知範囲Ｆ内において、首振り自在に調節と固着がなされる。【００１８】  本考案の光センサ等の支持具１００（１００′）における実施の形態によると、下記の効果が奏される。まず、少ない部品点数で構成された組み合わせによっているから、それだけ加工費の低減や組立て時間も少なくて済み短時間に製作できる。このために、低価格な光センサが要求されるセンサ市場に適用できるとともに、取り付け時も探知方向の調整が簡単・正確にできる。【００１９】  尚、本考案は上記第１の実施の形態における構成を設計変更できる。例えば、図５に示す第２の実施の形態のように、ストッパーＳＰを装備した支持具１００としても良い。その構成は、球体５の貫通孔５Ａの前面部にストッパーＳＰを挿通して固定したものである。しかして、上記球体５に取り付けたストッパーＳＰの方向を所望の角度姿勢方向α１，α２，α３に調節して固定される。これにより、回動するワークＷ１に対して任意の回動位置にストップさせられる。この実施の形態においても、第１の実施の形態と同一の作用・効果が発揮される。【００２０】  更に、図６に示す第３の実施の形態のように、土木作業現場等に利用される投光器ＬＲを装備した支持具１００としても良い。その構成は、球体５の貫通孔５Ａの前面部に投光器ＬＲの取付軸１２を挿通して固定したものである。しかして、上記球体５に取り付けた投光器ＬＲの探知方向α１，α２，α３を任意な方向に調節して固定される。これにより、任意の方向位置にストップさせられ、被照明体Ｗ２に向けて正しく照明させられる。この実施の形態においても、第１の実施の形態と同一の作用・効果が発揮される。
【産業上の利用可能性】
【００２１】  本考案は、その対象物をセンサヘッドＳＨ１やストッパーＳＰや投光器ＬＲの実施例で説明したものであるが、様々な形式の各種保持物への適用が可能である。例えば、磁気式の近接センサやタッチ式のリミットセンサ・リミットスイッチ用としても適用できる。更に、他の各種保持物への適用が可能である。
【図面の簡単な説明】
【００２２】
【図１】  本考案の第１の実施の形態を示し、光センサを配置した支持具の展開斜視図である。
【図２】  本考案の第１の実施の形態を示し、光センサを配置した支持具の断面図と正面図である。
【図３】  本考案の第１の実施の形態を示し、固定扱の拡大断面図である。
【図４】  本考案の第１の実施の形態を示し、対向配置した支持具の作用断面図である。
【図５】  本考案の第２の実施の形態を示し、ストッパーを装備した支持具の断面図である。
【図６】  本考案の第３の実施の形態を示し、投光器を装備した支持具の断面図である。
【符号の説明】
【００２３】    １                レンズ
１Ａ              発光部
２                レンズ
２Ａ              受光部
５                球体
５Ａ              貫通孔
５Ｂ              凸面後部
５Ｃ              凸面前部
８                固定板
８Ａ              凹面受座
８Ｂ              螺環
９                締付環体
９Ａ              締付凹面
１０，２０        支持体
１２              取付軸
１００            支持具
１００′          支持具
Ｂ１              ボルト
Ｋ１，Ｋ２        固定物
Ｎ１              螺子
Ｎ２              ナット
Ｎ３              ナット
ＳＰ              ストッパー
ＬＲ              投光器
α１，α２，α３  探知方向
ＳＨ１            センサヘッド
ＳＨ２            センサヘッド
Ｗ１              ワーク
Ｗ２              被照明体
【図１】
0003134140.tif 000003
【図２】
0003134140.tif 000004
【図３】
0003134140.tif 000005
【図４】
0003134140.tif 000006
【図５】
0003134140.tif 000007
【図６】
0003134140.tif 000008
【手続補正書】
【提出日】平成19年5月10日(2007.5.10)
【手続補正１】
【補正対象書類名】実用新案登録請求の範囲
【補正対象項目名】全文
【補正方法】変更
【補正の内容】
【実用新案登録請求の範囲】
【請求項１】
各種保持物を前面に取り付ける球体と、上記球体の凸面後部を環状の凹面受座で首振り自在に抱持する固定板と、上記固定板の凹面受座の外周に設けた螺環への螺合時に上記球体の凸面前部に環状の締付凹面を挟圧して球体を所望方向に締付け固定する締付環体と、を具備したことを特徴とする支持具。
【請求項２】
上記球体は、中心の貫通孔に各種保持物を通して固定されることを特徴とする請求項１記載の支持具。
【請求項３】
上記各種保持物は、センサヘッドや投光器やストッパーであることを特徴とする請求項１記載の支持具。
【手続補正３】
【補正対象書類名】明細書
【補正対象項目名】００１０
【補正方法】変更
【補正の内容】
【００１０】  また、本考案の請求項３による支持具は、請求項１記載の支持具において、上記各種保物は、センサヘッドや投光器やストッパーであることを特徴とするものである。